(57)【要約】【課題】  面倒な結束作業を不要とし、強度にも優れ、例えば、古紙回収用袋として使用した場合に、古紙回収作業を容易にすることができる内容物保持具を提供することにある。【解決手段】  上部に開口部を有する有底の内容物保持体と、内容物保持体より延長された一対の帯状保持体と、を具備し、一対の帯状保持体の内一方の帯状保持体は先端部に差込用開口部を備えており、一方、他方の帯状保持体は先端部が一方の帯状保持体の差込用開口部に差込・引抜可能に差し込まれる差込部となっており、内容物保持体内に任意の内容物を保持した状態で他方の帯状保持体の差込部を一方の帯状保持体の差込用開口部に差し込んで、それを把持部とするようにしたもの。【選択図】  図１
0003159909.tif 000002
【実用新案登録請求の範囲】
【請求項１】
上部に開口部を有する有底の内容物保持体と、上記内容物保持体より延長された一対の帯状保持体と、を具備し、
上記一対の帯状保持体の内一方の帯状保持体は先端部に差込用開口部を備えており、他方の帯状保持体は先端部が上記一方の帯状保持体の上記差込用開口部に差込・引抜可能に差し込まれる差込部となっており、
上記内容物保持体内に任意の内容物を保持した状態で上記他方の帯状保持体の差込部を上記一方の帯状保持体の差込用開口部に差し込んでそれを把持部とするようにしたことを特徴とする内容物保持具。
【請求項２】
請求項１記載の内容物保持具において、
上記差込部の幅は上記差込用開口部の内側幅より小さく設定されていることを特徴とする内容物保持具。
【請求項３】
請求項１又は請求項２に記載の内容物保持具において、
上記内容物保持体は、側壁部を構成する側壁部構成体と、上記側壁部構成体に関係して設けられ少なくとも底壁部を構成する底壁部構成体と、から構成されていることを特徴とする内容物保持具。
【請求項４】
請求項３記載の内容物保持具において、
上記側壁部構成体には、上記底壁部構成体上に出現して底壁部を補強する底壁部補強体が設けられていることを特徴とする内容物保持具。
【請求項５】
請求項１又は請求項２記載の内容物保持具において、
上記内容物保持体は、一対の側壁部とこの一対の側壁部を繋げる底壁部とから構成されていることを特徴とする内容物保持具。
【請求項６】
請求項１〜請求項５の何れかに記載の内容物保持具において、
上記内容物保持体及び上記帯状保持体は新聞紙からなることを特徴とする内容物保持具。
【請求項７】
請求項１〜請求項６の何れかに記載の内容物保持具において、
古紙回収用袋として使用するようにしたことを特徴とする内容物保持具。
【考案の詳細な説明】
【技術分野】
【０００１】
本考案は、例えば、古紙回収用袋として使用する内容物保持具に係り、特に、内容物を保持する内容物保持体と該内容物保持体に設けられた一対の帯状保持体とからなり、一方の帯状保持体の先端部を他方の帯状保持体の先端部内に差し込むだけで所望の強度を備えた把持部を構成することができるように工夫したものに関する。
【背景技術】
【０００２】
従来、古紙を回収する古紙回収用袋としては、例えば、特許文献１乃至特許文献５に記載されているようなものがあった。
【０００３】
これらの古紙回収用袋は概略次のような構成をなしている。まず、袋体があり、該袋体はその横断面形状が新聞紙一面の略１／４の大きさに形成されている。又、上記袋体の４辺からは結束用の紐体が夫々繰り出されている。そして、使用する場合には、まず、袋体内に古紙を新聞紙の一面の大きさの１／４に折った状態で積層させていき、目一杯になった状態で、上記４本の結束用紐体を結束する。それら４本の結束用紐体の結束部を把持部として使用し、該把持部を掴んで回収場所まで搬送する。
尚、上記古紙回収用袋は、袋体はもとより結束用紐体についても紙製となっている。
【先行技術文献】
【特許文献】
【０００４】
【特許文献１】実用新案登録第３１１２１８４号公報
【特許文献２】実用新案登録第３１５１５０８号公報
【特許文献３】特開２００６−２５６６１８号公報
【特許文献４】実用新案登録第３１０６６５５号公報
【特許文献５】特開２００２−３７３２０号公報
【考案の概要】
【考案が解決しようとする課題】
【０００５】
上記従来の構成によると、次のような問題があった。
まず、従来の古紙回収用袋の場合は、複数本の結束用紐体を結束することにより収容した古紙を束ねて固定するようにしているが、その結束作業が面倒であった。特に、リサイクルの利便性を高めるべく、袋体だけでなく紐体までもが紙を素材として作られているため、上記結束作業が益々面倒なものになっていた。
又、通常、袋体は新聞紙等の古紙を主原料として再生された再生紙から作られており、その厚みは決して十分なものとはいえない。又、同じく再生紙製の紐体についてもそれ自身十分な強度を備えているものではなく、特に、紐体と袋体との接合部における強度は不十分であった。そのため、袋体内に多くの古紙を積層・収容した状態で紐体による結束部を把持して搬送する際に袋体や紐体が破損してしまうようなこともあった。
【０００６】
本願考案はこのような点に基いてなされたもので、その目的とするところは、面倒な結束作業を不要とし、且つ、強度的にも優れ、例えば、古紙回収用袋として使用した場合に、古紙回収作業を容易にすることができる内容物保持具を提供することにある。
【課題を解決するための手段】
【０００７】
上記課題を解決するべく請求項１記載の内容物保持具は、上部に開口部を有する有底の内容物保持体と、上記内容物保持体より延長された一対の帯状保持体と、を具備し、上記一対の帯状保持体の内一方の帯状保持体は先端部に差込用開口部を備えており、他方の帯状保持体は先端部が上記一方の帯状保持体の上記差込用開口部に差込・引抜可能に差し込まれる差込部となっており、上記内容物保持体内に任意の内容物を保持した状態で上記他方の帯状保持体の差込部を上記一方の帯状保持体の差込用開口部に差し込んでそれを把持部とするようにしたことを特徴とするものである。
又、請求項２記載の内容物保持具は、請求項１記載の内容物保持具において、上記差込部の幅は上記差込用開口部の内側幅より小さく設定されていることを特徴とするものである。
又、請求項３記載の内容物保持具は、請求項１又は請求項２に記載の内容物保持具において、上記内容物保持体は、側壁部を構成する側壁部構成体と、上記側壁部構成体に関係して設けられ少なくとも底壁部を構成する底壁部構成体と、から構成されていることを特徴とするものである。
又、請求項４記載の内容物保持具は、請求項３記載の内容物保持具において、上記側壁部構成体には、上記底壁部構成体上に出現して底壁部を補強する底壁部補強体が設けられていることを特徴とするものである。
又、請求項５記載の内容物保持具は、請求項１又は請求項２記載の内容物保持具において、上記内容物保持体は、一対の側壁部とこの一対の側壁部を繋げる底壁部とから構成されていることを特徴とするものである。
又、請求項６記載の内容物保持具は、請求項１〜請求項５の何れかに記載の内容物保持具において、上記内容物保持体及び上記帯状保持体は新聞紙からなることを特徴とするものである。
又、請求項７記載の内容物保持具は、請求項１〜請求項６の何れかに記載の内容物保持具において、古紙回収用袋として使用するようにしたことを特徴とするものである。
【考案の効果】
【０００８】
以上述べたように、請求項１記載の内容物保持具によると、上記内容物保持体内に任意の内容物を保持した状態で上記他方の帯状保持体の差込部を上記一方の帯状保持体の差込用開口部に差し込んで、それを把持部とするようにしているため、従来のような紐体を結び合わせる作業を行わなくても、内容物保持作業を完了することができる。又、把持部を手で掴むと、両方の帯状保持体を掴むことになり、把持部の強度も内容物の持ち運びに十分耐えうるものとなる。
請求項２記載の内容物保持具によると、上記差込部の幅は上記差込用開口部の内側幅より小さく設定されているため、上記他方の帯状保持体の差込部を上記一方の帯状保持体の差込用開口部に差し込みやすく、上記把持部の組立及び内容物保持作業を容易に行うことができる。
請求項３記載の内容物保持具によると、上記内容物保持体は、側壁部を構成する側壁部構成体と、上記側壁部構成体に関係して設けられ少なくとも底壁部を構成する底壁部構成体と、から構成されているため、内容物を確実に保持することができる。
請求項４記載の内容物保持具によると、上記側壁部構成体には上記底壁部構成体上に出現して底壁部を構成する底壁部補強体が設けられているため、上記内容物保持体の底部が上記底壁部補強体によって補強され、内容物を確実に保持することができる。
請求項５記載の内容物保持具によると、上記内容物保持体は一対の側壁部とこの一対の側壁部を繋げる底壁部とから構成されているため、内容物保持具の構成の簡略化を図ることができ、又、長尺の内容物を保持することができる。
請求項６記載の内容物保持具によると、上記内容物保持体及び上記帯状保持体は新聞紙からなるため、資源の有効利用を図ることができる。
請求項７記載の内容物保持具によると、内容物としての古紙を保持したままリサイクルすることができる。
【図面の簡単な説明】
【０００９】
【図１】本願考案の第１の実施の形態を示す図で、把持部を組み立てていない状態の古紙回収用袋を示す斜視図である。
【図２】本願考案の第１の実施の形態を示す図で、把持部を組み立てた状態の古紙回収用袋を示す斜視図である。
【図３】本願考案の第１の実施の形態を示す図で、図３（ａ）は二枚の新聞紙を貼り合わせた紙板を所定の大きさに折って対向・配置させ相互に貼り合わせることにより側壁部構成体を形成する工程を示す斜視図、図３（ｂ）は二枚の新聞紙を貼り合わせた紙板を所定の大きさに折って底壁部構成体を形成する工程を示す斜視図である。
【図４】本願考案の第１の実施の形態を示す図で、図４（ａ）は側壁部構成体を形成するために紙板を貼り合わせて筒体とした状態を示す斜視図、図４（ｂ）はその筒体の４箇所に切り込みを入れて底壁部補強体を形成した状態を示す平面図である。
【図５】本願考案の第１の実施の形態を示す図で、図５（ａ）は４つの底壁部補強体の内向かい合う２つの底壁部補強体を内側に折り込んだ状態の側壁部構成体を示す斜視図、図５（ｂ）は向かい合う２つの底壁部補強体を内側に折り込んだ状態の側壁部構成体を平板状に折り畳んだ状態を示す平面図である。
【図６】本願考案の第１の実施の形態を示す図で、図６（ａ）は新聞紙を一方の端から丸めていくことで帯状保持体を形成する工程を順次示した斜視図、図６（ｂ）は新聞紙を両方の端から丸めていくことで帯状保持体を形成する工程を順次示した斜視図である。
【図７】本願考案の第１の実施の形態を示す図で、図７（ａ）は帯状保持体を側壁部構成体に貼り付けた状態を示す平面図、図７（ｂ）は更に帯状保持体の上から底壁部構成体を貼り付けた状態を示す平面図である。
【図８】本願考案の第２の実施の形態を示す図で、本実施の形態による内容物保持具を示す斜視図である。
【図９】本願考案の第３の実施の形態を示す図で、本実施の形態による内容物保持具を示す斜視図である。
【考案を実施するための形態】
【００１０】
以下、図１乃至図７を参照して、本願考案の第１の実施の形態を説明する。この実施の形態は、本願考案を古紙回収用袋１として実施した例を示すものである。
【００１１】
まず、図１及び図２を参照して、本実施の形態による古紙回収用袋１の全体の概略構成を説明する。図１に示すように、内容物保持体としての古紙保持体４がある。この古紙保持体４は有底箱状をなしていて、その上端部には開口部４ａが形成されている。この開口部４ａを介して、古紙２（図１中仮想線で示す）を古紙保持体４内に入れていくものである。
【００１２】
上記古紙保持体４は、側壁部構成体３と底壁部構成体５とから構成されている。上記側壁部構成体３は、新聞紙を複数枚（この実施の形態の場合には２枚）貼り合わせて一つの紙板としたものを２つ用意し、それら２つの紙板を貼り合わせて上下を開口させた筒状としたものである。上記底壁部構成体５は新聞紙を複数枚（この実施の形態の場合には２枚）貼り合わせて一枚の紙板としたもので、図１に示すように、上記側壁部構成体３の下側の開口部を閉塞するように、上記側壁部構成体３の外側に貼り付けられている。
【００１３】
上記古紙保持体４には、一対の帯状保持体１１、１３が取り付けられている。すなわち、図１に示すように、上記古紙保持体４の一方の側面側においては、上記側壁部構成体３と底壁部構成体５の間に第１帯状保持体１１が挟み込まれている。同様に、上記古紙保持体４の他方の側面側においても、上記側壁部構成体３と底壁部構成体５の間に第２帯状保持体１３が挟み込まれている。上記古紙保持体４内に古紙２が目一杯収容された後、第２帯状保持体１３の先端部を第１帯状保持体１１の先端開口部内に差し込んで、図２に示すように、把持部１７を構成する。そして、この把持部１７を掴んで古紙２を積層・収容した古紙回収用袋１を所定の回収場所に搬送するものである。以上が、本実施の形態による古紙回収用袋１の概略の構成である。
【００１４】
次に、上記古紙回収用袋１作成方法を説明する。
【００１５】
まず、上記古紙保持体４の構成要素である上記側壁部構成体３の作製手順から説明する。図３（ａ）に示すように、全判の新聞紙１９ａを複数枚（この実施の形態の場合には２枚）貼り合わせた紙板１９、１９を作製する。そして、図３（ａ）に示すように、これら２つの紙板１９、１９を屈曲させた状態で対向・配置させ、所定の糊代で貼り合わせる。それによって、図４（ａ）に示すような上下に開口した筒状の側壁部構成体３を得ることができる。
尚、上記２つの紙板１９、１９の端部を貼り合わせる際の糊代であるが、重なり合う部分の長さ｛図４（ｂ）中の寸法ａ｝は、例えば、大凡３０ｃｍ程度となる。それによって、開口部の横断面の大きさが新聞一面（全版の半分）の１／４の大きさより所定量だけ大きな大きさとなり、新聞一面（全版の半分）の１／４の大きさに畳んだ古紙２を余裕をもった状態で積層・収容することができる。
【００１６】
次に、図４（ｂ）に示すように、上記側壁部構成体３の図４（ｂ）中下端から図４（ｂ）上端側に向けて、上記側壁部構成体３の下端の辺に垂直に鋏等によって切り込み２１、２１、２１、２１を入れる。
尚、図４（ｂ）は、図４（ａ）に示す筒状の側壁部構成体３を押し潰して平板状にした状態を示す平面図であり、上記４つの切り込み２１、２１、２１、２１の内手前側の２つの切り込み２１、２１がみえている。
上記切り込み２１の位置は、図４（ｂ）に示すように、上記側壁部構成体３の図４（ｂ）中左右両端から、１１ｃｍ程度（寸法ｂ）離れており、又、その切り込み長さも１１ｃｍ程度（寸法ｃ）である。上記切り込み２１、２１、２１、２１により、上記側壁部構成体３に底壁部補強体７ａ、７ａ（図では手前側の底壁部補強体７ａのみが視認できる）及び底壁部補強体７ｂ、７ｂが形成されることになる。
【００１７】
次に、図５に示すように、上記底壁部補強体７ｂ、７ｂを、筒状の上記側壁部構成体３の内側に折り込む。ここまでの作業で側壁部構成体３を得ることができる。
尚、図５（ｂ）は図５（ａ）に示す筒状の側壁部構成体３を押し潰して平板状にした状態を示す平面図である。
【００１８】
次に、底壁部構成体５を作製する。まず、図３（ｂ）に示すように、複数枚（本実施の形態の場合は２枚）の全判新聞紙２３ａを貼り合わせた板状の紙板２３を用意する。次に、この紙板２３を長手方向に沿って二つ折りする。これによって、底壁部構成体５を得ることができる。
【００１９】
次に、上記第１帯状保持体１１と上記第２帯状保持体１３を作製する。すなわち、図６（ａ）に示すように、全判新聞紙１１ａ（１３ａ）を長手方向に沿って巻き取り、その後、潰して平板状にすることにより、所定幅の第１帯状保持体１１と第２帯状保持体１３を得る。又、その長さであるが、特に切断することなくそのまま使用することもできるが、適宜切断することにより所定長さに調整する場合もある。
尚、上記第１帯状保持体１１と上記第２帯状保持体１３の作成方法は、上記した方法に限定されるものではなく、例えば、図６（ｂ）に示すように、全判新聞紙１１ａ（１３ａ）を長手方向に沿って両端から巻き取り、その後、潰して平板状にすることによっても作成することができる。
【００２０】
図１に示すように、上記第１帯状保持体１１の長手方向端部には、上記新聞紙１１ａを折りたたんだ際にスリット状の差込用開口部１５が形成されている。一方、上記第２帯状保持体１３の少なくとも差し込み先端部は、その幅（ｄ２）が上記差込用開口部１５の幅（ｄ１）より小さくなるように設定されている。
【００２１】
次に、上記側壁部構成体３と上記底壁部構成体５と上記第１帯状保持体１１及び上記第２帯状保持体１３を貼り付けることにより、古紙回収用袋１を完成させる手順について説明する。
まず、図７（ａ）に示すように、平板状に折り畳んだ側壁部構成体３の図７ａ中表裏両面において左右方向の中間位置に、第１帯状保持体１１と第２帯状保持体１３を夫々貼り付ける。その際、第１帯状保持体１１と第２帯状保持体１３の下端は底壁部補強体７ａ、７ｂの下端位置に位置している。又、第１帯状保持体１１と第２帯状保持体１３の上部は側壁部構成体３の上端から上方に付き出したような状態となる。
【００２２】
次に、図７（ｂ）に示すように、上記側壁部構成体３の図７（ｂ）中下部及び上記第１帯状保持体１１と第２帯状保持体１３を覆うように上記底壁部構成体５を配置して貼り付ける。図７（ｂ）では表側のみが示されているが、裏側においても上記底壁部構成体５が貼り付けられている。すなわち、側壁部構成体３の底部側を覆うような状態で上記底壁部構成体５が貼り付けられているものである。その結果、底壁部構成体５の中央部分と既に説明した底壁部補強体７ａ、７ａの部分が貼り合されることとなり、二重構造の底壁部９（図１、図２に示す）が構成されていることになる。
尚、上記底壁部構成体５の両側部分は上記側壁部構成体３に貼り合わされることとなり、その結果、側壁部をも一部二重構造となる。
【００２３】
このようにして、古紙回収用袋１を得ることができる。
尚、この時点では、図７（ｂ）に示すように、折り畳まれた状態の古紙回収用袋１となっている。
【００２４】
次に、使用時について説明する。まず、図７（ｂ）に示すような折り畳まれた状態の古紙保持体４を広げて、図１に示すような箱状の形態とする。このとき、図５で示すような状態で古紙保持体４の内側に折り込まれていた底壁部補強体７ｂ、７ｂを、上記古紙保持体４の底部９側に倒して、既に底部９を構成している底壁部補強体７ａ、７ａと当接させる。これにより、上記古紙保持体４の底部９の図１中左右両側部は、上記底壁部構成体５と上記底壁部補強体７ａ、７ａ及び上記底壁部補強体７ｂ、７ｂによって三重に構成されることとなる。
【００２５】
次に、上記古紙保持体４の内部に古紙２を入れる。古紙保持体４内に目一杯の古紙が積層・収容された場合には、これらを古紙回収用袋１毎別の回収場所に搬送することになる。そのため、図２に示すように、第１帯状保持体１１の差込用開口部１５から上記第１帯状保持体１１の内部に上記第２帯状保持体の先端を挿入していき、図２に示すように、上記第１帯状保持体１１と上記第２帯状保持体１３によって、把持部１７を構成する。そして、上記把持部１７を手で持つことによって、古紙回収用袋１毎所定の回収場所に搬送することになる。
【００２６】
以上本実施の形態によると次のような効果を奏する。
まず、第１帯状保持体１１の差込用開口部１５からこの第１帯状保持体１１の内部に第２帯状保持体１３の先端を挿入していき、図２に示すように、上記第１帯状保持体１１と上記第２帯状保持体１３によって、把持部１７を構成することができ、従来のように紐体を締結する煩雑な作業を行う必要はない。
又、上記古紙保持体４の底部９は、底壁部構成体５によって構成されていることはもとより、底壁部補強体７ａ、７ａ及び底壁部補強体７ｂ、７ｂによって積層・補強されているため、その強度は古紙２を目一杯積層・保持するのに十分なものとなる。
又、上記底壁部補強体７ａ、７ａ及び上記底壁部補強体７ｂ、７ｂが重なり合っているため、上記古紙保持体４の底部９は隙間がなくなり、古紙２の脱落を防ぐことができる。
【００２７】
又、持ち運ぶときは上記把持部１７を手で握ることになるが、その際、上記第１帯状保持体１１と上記第２帯状保持体１３の両方を握ることになるため、上記第２帯状保持体１３が上記第１帯状保持体１１から抜けてしまうのを防止することができる。
又、上記把持部１７は一般的な荷造り用の紐に比べて非常に幅広である。そのため、上記把持部１７を手で握り内容物を運ぶ際、上記把持部１７が掌に食い込むことがなく、楽に内容物を運ぶことができる。
【００２８】
又、本実施の形態による古紙回収用袋１は、その横断面形状の寸法が新聞紙一面の略１／４の大きさと同程度なので、古新聞等の保持に最適である。
又、本実施の形態による古紙回収用袋１は、新聞紙からなるため、内容物として古新聞等の古紙２を保持した場合、古紙回収用袋１ごとリサイクル処理することが可能である。
【００２９】
次に、図８を参照して、本願考案の第２の実施の形態を説明する。この実施の形態も、本願考案を古紙回収用袋１として実施した例を示すものである。
【００３０】
まず、図８に示すように、古紙保持体２５がある。上記古紙保持体２５は、一対の側壁部２７、２７と、この一対の側壁部２７、２７を接続する底壁部２９とから構成されている。上記古紙保持体２５は、前述の第１の実施の形態における紙板１９｛前記第１の実施の形態の説明において使用した図３（ａ）に図示｝と同様、新聞紙を複数枚（本実施の形態の場合には２枚）貼り合わせたものを所定の大きさに折り畳んで、図８に示すような形態としたものである（前記第１の実施の形態における底壁部構成体５に相当）。
【００３１】
又、図８に示すように、上記古紙保持体２５には、一対の帯状保持体３１、３５が取り付けられている。すなわち、上記古紙保持体２５の底壁部２９と一方の側壁部２７に、第１帯状保持体３１が貼り付けられている。同様に、上記古紙保持体２５の底壁部２９と他方の側壁部２７に、第２帯状保持体３５が貼り付けられている。上記第１帯状保持体３１及び上記第２帯状保持体３５は、前述した第一の実施の形態の場合と同様に、新聞紙を折り畳んだものである。上記第１帯状保持体３１の上端には、スリット状の差込用開口部３３が形成されている。上記第２帯状保持体３５の差し込み先端部の幅は、上記第１帯状保持体３１の差込用開口部３３の幅よりも小さくなるように設定されている。
【００３２】
本実施の形態においても、内容物を上記古紙保持体２５の内側、すなわち、上記底壁部２９と上記一対の側壁部２７、２７に囲まれた箇所に古紙２を積層・収容していく。そして、目一杯になったところで、上記第１帯状保持体３１の差込用開口部３３から上記第１帯状保持体３１内部に上記第２帯状保持体３５の先端を挿入していき、把持部を構成する。その把持部を手で持つことによって古紙回収用袋１毎を持ち運ぶことになる。
【００３３】
この第２の実施の形態によると、前述の第１の実施の形態の場合と略同様の効果を奏することができる。
又、古紙保持体２５の構成が極めて簡単な構成となっている。その結果、完全な袋状の構成にはなっていないが、第１帯状保持体３１と第２帯状構成体３５により把持部を構成することにより、搬送に支障を来すようなことはない。
又、上記古紙保持体２５は、横断面形状が略Ｕ字型で端部が開口しているため、長尺の内容物も保持することができる。
【００３４】
次に、第９図を参照して、本願考案の第３の実施の形態を説明する。この実施の形態も、本願考案を古紙回収用袋１として実施した例を示すものである。
【００３５】
まず、図９に示すように、古紙保持体３７がある。上記古紙保持体３７は、一対の側壁部３９、３９と、この一対の側壁部３９、３９を接続する底壁部４１とから構成されている。上記古紙保持体３７は、前述の第１の実施の形態における紙板１９｛前記第１の実施の形態の説明において使用した図３（ａ）に図示｝と同様、新聞紙を複数枚（本実施の形態の場合には２枚）貼り合わせ所定の大きさに折り畳んだ紙板４３を２つ用意して、これらを貼り合わせて、図９に示すような形態としたものである。
【００３６】
又、図９に示すように、上記古紙保持体３７には、一対の帯状保持体４５、４７が取り付けられている。すなわち、上記古紙保持体３７の一方の側壁部３９において、上記紙板４３、４３の間にその一部を挟まれた状態で、第１帯状保持体４５が取り付けられている。同様に、上記古紙保持体３７の他方の側壁部３９において、上記紙板４３、４３の間にその一部を挟まれた状態で、第２帯状保持体４７が取り付けられている。上記第１帯状保持体４５及び上記第２帯状保持体４７は、前述した第一の実施の形態の場合と同様に、新聞紙を折り畳んだものである。上記第１帯状保持体４５の上端には、スリット状の差込用開口部４９が形成されている。上記第２帯状保持体４７の差し込み先端部の幅は、上記第１帯状保持体４５の差込用開口部４９の幅よりも小さくなるように設定されている。
【００３７】
尚、前記第２の実施の形態の場合には、第一帯状保持体３１及び第２帯状保持体３５が、古紙保持体２５の側壁部２７、２７はもとより底壁部２９に至る領域まで貼り付けられていたが、この第３の実施の形態の場合には、上記第１帯状保持体４５及び上記第２帯状保持体４７は、上記古紙保持体３７の側壁部３９、３９の部分にのみ貼り付けられているものである。
【００３８】
本実施の形態においても、内容物を上記古紙保持体３７の内側、すなわち、上記底壁部４１と上記一対の側壁部３９、３９に囲まれた箇所に古紙２を積層・収容していく。そして、目一杯になったところで、上記第１帯状保持体４５の差込用開口部４９から上記第１帯状保持体４５内部に上記第２帯状保持体４７の先端を挿入していき、把持部を構成する。その把持部を手で持つことによって古紙回収用袋１毎を持ち運ぶことになる。
【００３９】
この第３の実施の形態によると、前述の第１の実施の形態及び第２の実施の形態の場合と略同様の効果を奏することができる。
又、本実施の形態において、古紙保持体３７は２つの紙板４３、４３を貼り合わせて構成されている。そのため、上記古紙保持体３７はより丈夫なものとなっている。
【００４０】
尚、本願考案は前記第１、第２、第３の実施の形態に限定されるものではない。
まず、前記第１、第２、第３の実施の形態は、内容物として古紙を例に挙げ、古紙回収用袋として説明したが、それに限定されるものではなく、様々な用途が考えられる。
又、各構成要素の寸法や形状は、上記の実施の形態に示したものに限られず、様々なものが考えられる。
又、袋の材質も新聞紙に限られず、新聞紙以外の紙類やビニール等様々なものが考えられる。
【産業上の利用可能性】
【００４１】
本考案は、例えば、袋体と把持部を備えた内容物保持具に係り、特に、容易に内容物を保持することができ、紙類のリサイクルを容易に行うことができるように工夫したものに係り、例えば、古新聞用の古紙回収用袋に好適である。
【符号の説明】
【００４２】
１  古紙保持体
３  側壁部構成体
５  底壁部構成体
７  底壁部補強体
１１  第１帯状保持体
１３  第２帯状保持体
１５  差込用開口部
１７  把持部
２５  古紙保持体
２７  側壁部
２９  底壁部
３１  第１帯状保持体
３３  差込用開口部
３５  第２帯状保持体
３７  古紙保持体
３９  側壁部
４１  底壁部
４５  第１帯状保持体
４７  第２帯状保持体
４９  差込用開口部
【図１】
0003159909.tif 000003
【図２】
0003159909.tif 000004
【図３】
0003159909.tif 000005
【図４】
0003159909.tif 000006
【図５】
0003159909.tif 000007
【図６】
0003159909.tif 000008
【図７】
0003159909.tif 000009
【図８】
0003159909.tif 000010
【図９】
0003159909.tif 000011